【事件の表示】
　特願２００７−５５８２５３「スラリの脱水乾燥方法および脱水乾燥装置」拒絶査定不服審判事件〔平成１８年１２月２８日国際公開、ＷＯ２００６／１３７５０２、平成２０年１２月２５日国内公表、特表２００８−５４６５１１、請求項の数（２５）〕について、次のとおり審決する。
【結　論】
　原査定を取り消す。
　本願の発明は、特許すべきものとする。
【理　由】
第１　手続の経緯　
　本願は、平成１８年６月１６日（優先権主張　平成１７年６月２１日）を国際出願日とする出願であって、平成２３年１１月９日付けで拒絶理由が通知され、平成２４年１月１２日付けで意見書が提出されるとともに手続補正がされ、同年１０月１８日付けで拒絶査定がされ、これに対し、平成２５年１月１８日に拒絶査定不服審判が請求され、同年８月２８日付けで当審により拒絶理由が通知され、同年１０月３１日付けで意見書が提出されるとともに手続補正がされたものである。
　
第２　本願発明
　本願発明は、平成２５年１０月３１日付けの手続補正で補正された特許請求の範囲の請求項１〜２５に記載された事項により特定される次のとおりのものである（以下、それぞれ、「本願発明１」〜「本願発明２５」という。）。
「【請求項１】
　濾布とダイアフラムと熱媒体室とを備える第１の濾板と、濾布と金属製の伝熱部材と熱媒体室とを備える第２の濾板を、前記第１の濾板と前記第２の濾板の間に濾室を形成するように配置し、
　前記濾室にスラリを供給し、
　前記第１の濾板および前記第２の濾板の濾布により前記濾室内のスラリを濾過し、
　前記第１の濾板に形成された前記熱媒体室に熱媒体を供給して前記第１の濾板の前記ダイアフラムを前記濾室内のスラリに押し付けて圧搾することによって、脱水されたスラリからなるケーキを形成し、
　前記第２の濾板に形成された前記熱媒体室に熱媒体を供給して該熱媒体の熱を前記第２の濾板の前記伝熱部材を通じて前記ケーキに伝達し、
　所定の飽和蒸気温度よりも高い設定温度に前記ケーキを加熱した後に、瞬時に、前記ケーキを前記所定の飽和蒸気温度に対応する圧力に導いて、前記設定温度と前記所定の飽和蒸気温度との温度差により前記ケーキに含まれる水分を突沸させることによって前記ケーキをひび割れさせることを特徴とするスラリの脱水乾燥方法。
　　【請求項２】
　前記濾過時または前記圧搾時から前記スラリを加熱し、
　前記ケーキの水分の突沸を複数回繰り返すことを特徴とする請求項１に記載のスラリの脱水乾燥方法。
　　【請求項３】
　前記濾過中、前記圧搾中、前記濾過後、前記圧搾後、前記ケーキの水分の突沸中、および前記ケーキの水分の突沸後の少なくとも１つにおいて、前記濾室に加圧気体を通過させることを特徴とする請求項１または２に記載のスラリの脱水乾燥方法。
　　【請求項４】
　前記加圧気体の前記濾室への前記通過において、
　前記濾室内に加圧気体を吹き込むためのブローラインを介して前記加圧気体を前記濾室に供給し、
　前記濾室から濾液を排出する濾液排出ラインを介して前記加圧気体を前記濾室から排出することを特徴とする請求項３に記載のスラリの脱水乾燥方法。
　　【請求項５】
　前記加圧気体の前記濾室への前記通過において、
　前記濾室から濾液を排出する複数の濾液排出ラインの少なくとも１つを介して前記加圧気体を前記濾室に供給し、
　前記複数の濾液排出ラインの他の少なくとも１つを介して前記加圧気体を前記濾室から排出することを特徴とする請求項３に記載のスラリの脱水乾燥方法。
　　【請求項６】
　前記所定の飽和蒸気温度に対応する圧力以下に保持された複数の真空タンクに前記濾室を順次接続して、前記ケーキの水分の突沸を複数回繰り返すことを特徴とする請求項１または２に記載のスラリの脱水乾燥方法。
　　【請求項７】
　前記濾室内のケーキの温度に応じた物性値を測定し、
　前記物性値に基づいて前記ケーキの水分の突沸の開始と停止を制御することを特徴とする請求項１または２に記載のスラリの脱水乾燥方法。
　　【請求項８】
　前記物性値として、前記濾室内のケーキの温度と、熱媒体室の入口温度と前記熱媒体室の出口温度との温度差を測定し、
　前記ケーキの水分の突沸の開始と停止の制御において、
　前記測定された前記濾室内のケーキの温度が所定の値以上となったときに、前記ケーキの水分の突沸を開始し、
　前記測定された前記熱媒体室の入口温度と前記熱媒体室の出口温度との温度差が所定の値となったときに、前記ケーキの水分の突沸を停止することを特徴とする請求項７に記載のスラリの脱水乾燥方法。
　　【請求項９】
　前記物性値として、前記熱媒体室の入口温度と前記熱媒体室の出口温度との温度差を測定し、
　前記測定された前記熱媒体室の入口温度と前記熱媒体室の出口温度との温度差が所定の値になったときに、前記ケーキの水分の突沸の開始と停止を行うことを特徴とする請求項７に記載のスラリの脱水乾燥方法。
　　【請求項１０】
　前記物性値として、熱媒体を供給する熱媒体室の入口温度と前記熱媒体室の出口温度との温度差を測定し、
　前記ケーキの水分の突沸の開始と停止の制御において、
　前記測定された前記熱媒体室の入口温度と前記熱媒体室の出口温度との温度差が所定の値になったときに、前記ケーキの水分の突沸を開始し、一定時間経過後に前記ケーキの水分の突沸を停止することを特徴とする請求項７に記載のスラリの脱水乾燥方法。
　　【請求項１１】
　前記物性値として、前記濾室から排出される濾液の温度と、前記熱媒体室の入口温度と前記熱媒体室の出口温度との温度差を測定し、
　前記ケーキの水分の突沸の開始と停止の制御において、
　前記測定された前記濾室から排出される濾液の温度が所定の値以上になったときに、前記ケーキの水分の突沸を開始し、
　前記測定された前記熱媒体室の入口温度と前記熱媒体室の出口温度との温度差が所定の値となったとき、または前記ケーキの水分の突沸から一定時間経過後に前記ケーキの水分の突沸を停止することを特徴とする請求項７に記載のスラリの脱水乾燥方法。
　　【請求項１２】
　前記物性値として、前記濾室内のケーキの温度を測定し、
　前記ケーキの水分の突沸の開始と停止の制御において、
　前記測定された前記濾室内のケーキの温度が所定の値以上となったときに、前記ケーキの水分の突沸を開始し、一定時間経過後に前記ケーキの水分の突沸を停止することを特徴とする請求項７に記載のスラリの脱水乾燥方法。
　　【請求項１３】
　一定時間ごとに前記ケーキの水分の突沸の開始と停止とを複数回繰り返すことを特徴とする請求項１または２に記載のスラリの脱水乾燥方法。
　　【請求項１４】
　前記設定温度と前記所定の飽和蒸気温度との温度差は２０℃から７０℃の範囲にあり、
　前記所定の飽和蒸気温度に対応する圧力は絶対圧０．０３ＭＰａ以下であることを特徴とする請求項１または２に記載のスラリの脱水乾燥方法。
　　【請求項１５】
　ダイアフラムと、前記ダイアフラムと濾室との間に配置される濾布と、供給される熱媒体によって前記ダイアフラムを前記濾室内のスラリに押し付けて圧搾することによって、
脱水されたスラリからなるケーキを形成する熱媒体室とを備える第１の濾板と、伝熱面を有する金属製の伝熱部材と、前記伝熱部材の伝熱面と前記濾室との間に配置される濾布と、供給される熱媒体の熱を前記伝熱面を通じて前記ケーキに伝達する熱媒体室とを備える第２の濾板と、前記第１の濾板と前記第２の濾板の間に挟まれた少なくとも１つの濾室を有するフィルタプレスと、
　前記ケーキを所定の飽和蒸気温度よりも高い設定温度に加熱する加熱機構と、
　前記加熱機構により加熱されたケーキを前記所定の飽和蒸気温度に対応する圧力に瞬時に導いて該ケーキに含まれる水分を突沸させることによって前記ケーキをひび割れさせる減圧機構と、
を備えたことを特徴とするスラリの脱水乾燥装置。
　　【請求項１６】
　前記第２の濾板は、前記伝熱部材の前記伝熱面の周縁部に樹脂製の枠体を備え、
　前記第２の濾板の伝熱部材は、枠体と一体に形成されていることを特徴とする請求項１５記載のスラリの脱水乾燥装置。
　　【請求項１７】
　前記濾室に加圧気体を通過させる通気機構をさらに備えたことを特徴とする請求項１５または１６に記載のスラリの脱水乾燥装置。
　　【請求項１８】
　前記通気機構は、前記濾室内に加圧気体を吹き込むためのブローラインを介して前記加圧気体を前記濾室に供給し、前記濾室から濾液を排出する濾液排出ラインを介して前記加圧気体を前記濾室から排出することを特徴とする請求項１７に記載のスラリの脱水乾燥装置。
　　【請求項１９】
　前記通気機構は、前記濾室から濾液を排出する複数の濾液排出ラインの少なくとも１つを介して前記加圧気体を前記濾室に供給し、前記複数の濾液排出ラインの他の少なくとも１つを介して前記加圧気体を前記濾室から排出することを特徴とする請求項１７に記載のスラリの脱水乾燥装置。
　　【請求項２０】
　前記減圧機構は、
　　（ｉ）前記所定の飽和蒸気温度に対応する圧力以下に保持され、前記フィルタプレスの前記濾室に並列に接続される複数の真空タンクと、
　　（ii）前記複数の真空タンクと前記フィルタプレスの前記濾室との接続を切り替える複数の弁と、
を備え、
　前記複数の真空タンクは冷却機構を有することを特徴とする請求項１５または１６に記載のスラリの脱水乾燥装置。
　　【請求項２１】
　前記濾室内のケーキの温度に応じた物性値を測定する少なくとも１つの検出器をさらに備え、
　前記少なくとも１つの検出器により測定された物性値に基づいて前記減圧機構を制御することを特徴とする請求項１５または１６に記載のスラリの脱水乾燥装置。
　　【請求項２２】
　前記少なくとも１つの検出器は、前記濾室内のケーキの温度を測定する検出器を含むことを特徴とする請求項２１に記載のスラリの脱水乾燥装置。
　　【請求項２３】
　前記少なくとも１つの検出器は、熱媒体室の入口温度を測定する第１の検出器と、前記熱媒体室の出口温度を測定する第２の検出器とを含むことを特徴とする請求項２１に記載のスラリの脱水乾燥装置。
　　【請求項２４】
　前記少なくとも１つの検出器は、前記濾室から排出される濾液の温度を測定する検出器を含むことを特徴とする請求項２１に記載のスラリの脱水乾燥装置。
　　【請求項２５】
　前記設定温度と前記所定の飽和蒸気温度との温度差は２０℃から７０℃の範囲にあり、
　前記所定の飽和蒸気温度に対応する圧力は絶対圧０．０３ＭＰａ以下であることを特徴とする請求項１５または１６に記載のスラリの脱水乾燥装置。」
　
第３　拒絶理由の概要
１．原査定の拒絶理由の概要
　本願発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　　　　　　　　　　　　　　　　　記
　
　刊行物１：国際公開第０３／０１３６８７号
　刊行物２：特開２００１−２３２１０９号公報
　
２．当審の拒絶理由の概要
　本願発明は、その出願前日本国内において頒布された下記の刊行物に記載された発明に基づいて、その出願前にその発明の属する技術の分野における通常の知識を有する者が容易に発明をすることができたものであるから、特許法第２９条第２項の規定により特許を受けることができない。 
　
　　　　　　　　　　　　　　　　　　記
　
　刊行物３：特開２００４−３６１００６号公報 
　刊行物４：特開２００４−１０１１３０号公報 
 　
第４　当審の判断
１．原査定の拒絶理由の理由１について
（１）刊行物１の記載事項
　刊行物１には、「FILTER PRESS AND FILTER PRESS METHOD（フィルタプレス及びフィルタプレス方法）」（発明の名称）（英文の後の括弧内は当審による訳。以下同じ。）について、次の記載がある。
ア　「Technical Field
The present invention relates to a filter press for effecting liquid-solid separation of sludge contained within a fluid introduced between a plurality of filter plates, and more particularly to a filter press and a filter press method for minimizing the moisture content of a produced cake and if necessary, for completely drying the cake.（技術分野
この発明は、複数の濾板間に導入された流体の内部に含まれる
スラッジの固液分離を行うフィルタプレスに関する
完全にケーキを乾燥させる、フィルタプレス及びフィルタプレス方法に関する。
　
イ　「Fig. 2 is a schematic view of a filter press in accordance with the present invention, and Fig. 3 is an enlarged view of Fig . 2.
　　As shown in Figs. 2 and 3, the filter press 1 of the present invention comprises a housing 100, a filter chamber 110 installed within the housing 100, and a plurality of filter plates 50. The filter plate 50 includes a plate 55 with an air supply hole 52, a pressing diaphragm 56 formed outside the plate 55, a filter screen 58 covering the pressing diaphragm 56, a central feed inlet 55a for feeding a fluid, and an outward drainage outlet 55b for discharging the liquid of the fluid to the outside.
　　A heat supply pipe 10 is installed on the upper end of the housing 100, and a heat exhaust pipe 10a is installed on the lower end of the housing 100. A heating plate 20 made of a metal is interposed between the filter plates 50 so as to be connected to the heat supply pipe 10 and the heat exhaust pipe 10a via a connection pipe 12. The heating plate 20 includes a discharge path 22 formed between a plurality of protrusions so as to correspond to the filter plate 50, a filter screen 24, a feed hole 26 corresponding to the feed inlet 55a for feeding the fluid, a drainage hole 28 corresponding to the drainage outlet 55b for discharging the liquid of the fluid, and a heat supply path 20a formed within the heating plate 20.（図２は、本願発明のフィルタプレスの概略図であり、図３は図２の拡大図である。
　図２、３に示されるように、この発明の
フィルタプレス１は、ハウジング１００、ハウジング１００内に備えられた濾室１１０及び複数の濾板５０を含んでいる。濾板５０は、空気供給孔５２を有する板５５、板５５に形成された圧搾ダイヤフラム５６、圧搾ダイヤフラム５６を覆う濾布５８、流体が通る中央にある供給口５５ａ、及び、液体を外部に排出するための外向排出口５５ｂを有している
　熱供給管１０がハウジング１００の上端に設けられ、熱排出管１０ａがハウジング１００の下端に設けられている。
金属製の加熱板２０は、濾板５０と濾板５０との間に挿入されていて、熱供給管１０と熱排出管１０ａに接続管１２により接続されている。加熱板２０は、複数の突起の間に形成された放出経路２２を有し、この放出経路２２は濾板５０と通じていて、さらに、加熱板２０は、濾布２４、流体が通る供給口５５ａと対応する供給孔２６、流体の液体部分を排出する排出口５５ｂに対応する排出孔２８、及び、加熱板２０の内部に形成された熱供給経路２０ａを有している。
　
ウ　「Fig. 4 is an enlarged cross-sectional view of the filter press in the used state of Fig. 3.
　　As shown in Fig. 4, the filter plates 50 and the heating plates 20 are closely attached to each other in the filter chamber 110, and then the fluid is introduced into the filter chamber 110. Air is supplied to the filter chamber 110 via the air supply holes 52 of the plates 55 of the filter plates 50. Then, as shown in the one-dot chain line in Fig. 4, the pressing diaphragms 56 and the filter screens 58 are expanded by the supplied air, thereby pressing the fluid between the filter plates 50 and the heating plates 20 so as to enable the liquid to be discharged and allow the solid to be formed as a cake .
　　Then, air or warm blast is injected into the filter chamber 110 via the feed inlet 55a, thereby discharging the air or the warm blast accompanied with the moisture contained within the cake. Next, the filter chamber 110 is maintained under vacuum, thereby minimizing the moisture content of the cake . 
　　Heat is supplied to the heating plates 20 interposed between the filter plates 50 via the heat supply path 20a to heat the heating plates 20. Heat generated by the heating plates- 20 is transferred to the cake, thereby drying the cake so as to have almost no moisture content of approximately 0%.
　　Therefore, the aforementioned filter press allows the cake to be dehydrated so as to have the minimum moisture content, and then if necessary, to be dried.
　　After the filter pressing and drying steps are completed, the filter plates 50 are separated from the heating plates 20 and the dried cake is discharged to the outside.　Then, the filter pressing process of the present invention is completed.（図４は、図２のフィルタプレスの使用時の断面図である。
　図４に示されるように、濾板５０と加熱板２０はお互いに近接して濾室１１０に取り付けられる。そして、次に
流体は濾室１１０に導入される。濾板５０の板５５の空気供給孔５２を通って濾室１１０に空気が供給される。それから、図４中の１点鎖線に示されるように、圧搾ダイヤフラム５６と濾布５８が、供給された空気によって膨張する。それによって、濾板５０と加熱板２０との間の流体は圧搾され、流体から水が放出されて、固形物をケーキとすることができる
　そして、
空気又は暖い風が、供給口５５ａを通って濾室１１０に吹き込まれる。それによって、その空気又は暖い風は、ケーキに含まれた湿分を含んで放出され
　次に、
濾室１１０は真空に置かれ
ケーキの湿分は最小化され
　加熱板２０を加熱するために、
熱供給経路２０ａを介して、
加熱板２０に熱が供給され
加熱板２０によって生成された熱は、ケーキに伝達され
ケーキは湿分がほぼ０％になるように乾燥され
　したがって、上記のフィルタプレスは、最小の湿分となるようにケーキを脱水することができる。そして、もし、必要であれば乾燥することができる。
　フィルタ圧搾と乾燥工程が終了した後は、濾板５０は加熱板２０から引き離され、乾燥したケーキは外部に取り出される。そして、この発明の圧搾ブレスの工程は終了する。）」（同１０頁下から５行〜１２頁３行）
　
図２「
　　　　　　　　　　　　　　　　　　　　　　　　　　　　　　　　」
図３「
　　　　　　　　　　　　　　　　　　　　　　　　　　　　　」
図４「
　　　　　　　　　　　　　　　　　　　　　　　　　　　　　」
　アの記載によれば、刊行物１には、複数の濾板間に導入された流体の内部に含まれるスラッジを固液分離及び乾燥を行うフィルタプレス及びフィルタプレス方法に関する発明が記載されている。
　
　そして、イの記載によれば、刊行物１に記載されたフィルタプレスについて、次のことがいえる。
　・フィルタプレス１は、ハウジング１００、ハウジング１００内に備えられた濾室１１０、及び複数の濾板５０を有している。
　・濾板５０は、空気供給孔５２を有する板５５、板５５に形成された圧搾ダイヤフラム５６、圧搾ダイヤフラム５６を覆う濾布５８、流体が通る中央にある供給口５５ａ、及び、液体を外部に排出するための外向排出口５５ｂを有している。
　・濾板５０と濾板５０との間には、金属製の加熱板２０が挿入されており、加熱板２０は、熱供給管１０と熱排出管１０ａに接続管１２により接続され、内部に形成された熱供給経路２０ａを有しており、さらに、加熱板２０は、濾布２４、流体を供給する供給口５５ａに対応する供給孔２６、流体の液体部分を排出する排出口５５ｂに接続された排出孔２８を有している。
　
　また、ウの記載によれば、刊行物１に記載されたフィルタプレス方法は、次のａ〜ｅの順で行われるものである。
　ａ　流体が濾室１１０に導入される。
　ｂ　濾板５０の板５５の空気供給孔５２を通って、濾板５０に空気を供給することで、圧搾ダイヤフラム５６と濾布５８とが、供給された空気によって膨張し、濾板５０と加熱板２０との間の流体が圧搾され、流体から水が放出されて、固形物をケーキとする。
　ｃ　空気又は暖い風が、供給口５５ａを経由して濾室１１０に吹き込まれることで、空気又は暖い風は、ケーキに含まれた湿分を含んで放出される。
　ｄ　濾室１１０は真空に置かれ、ケーキの湿分は最小化される。
　ｅ　熱供給経路２０ａを介して、濾板５０の間に置かれた加熱板２０に熱が供給され、加熱板２０が加熱され、熱がケーキに伝達されることで、ケーキの湿分がほぼ０％になるように乾燥される。
　
　そして、図３、４から、空気供給孔５２を有し、圧搾ダイヤフラム５６と濾布５８を有する濾板５０と、加熱板２０とは、ハウジング１００内に交互に配置され、濾板５０と加熱板２０との間に濾室１１０が形成されることが看取される。
　
　そうすると、刊行物１には、
「濾室１１０を有するハウジング１００、交互に配置された複数の濾板５０、及び、金属製の加熱板２０を有するフィルタプレス１において、
　濾板５０は、空気供給孔５２を有する板５５、液体を外部に排出するための外向排出口５５ｂ、圧搾ダイヤフラム５６及び圧搾ダイヤフラム５６を覆う濾布５８を有し、
　加熱板２０は、熱供給管１０と熱排出管１０ａに接続管１２により接続され、内部に形成された熱供給経路２０ａを有しており、さらに、加熱板２０は、濾布２４、流体を供給する供給口５５ａに対応する供給孔２６、流体の液体部分を排出する排出口５５ｂに接続された排出孔２８を有しており、
　スラッジを含む流体は濾室１１０に導入され、
　濾板５０の圧搾ダイヤフラム５６と濾布５８が、供給された空気によって膨張して、濾板５０と加熱板２０との間の流体は圧搾され、流体から水が排出口５５ｂを通って放出されて、スラッジを含む流体はケーキとなり、
　空気又は暖かい風が、流体が通る濾板５０の中央にある供給口５５ａを経由して濾室１１０に吹き込まれて、空気又は暖かい風は、ケーキに含まれた湿分を含んで放出され、
　濾室１１０は真空に置かれ、ケーキの湿分は最小化され、
　熱供給経路２０ａを介して、濾板５０の間に置かれた加熱板２０に熱を供給することで加熱板２０を加熱し、加熱板２０によって生成された熱は、ケーキに伝達され、それによって、湿分がほぼ０％になるように、ケーキが乾燥される、スラッジを含む流体の固液分離及び乾燥を行うフィルタプレス及びフィルタプレス方法」（以下「引用発明」という。）が記載されているということができる。
　
（２）対比
　本願発明１と引用発明とを対比する。
　引用発明の「スラッジを含む流体」「濾板５０」、「金属製の加熱板２０」、「圧搾ダイアフラム」及び「スラッジを含む流体の固液分離及び乾燥を行うフィルタプレス方法」は、本願発明１の「スラリ」、「第１の濾板」、「第２の濾板」、「ダイアフラム」及び「スラリの脱水乾燥方法」にそれぞれ相当する。
　また、引用発明では、濾板５０の濾布、加熱板２０の濾布を介して、スラッジを含む流体から水が排出されていることから、濾板５０及び加熱板２０の濾布により濾室内のスラッジを含む流体が濾過されていることは明らかである。
　そして、引用発明では、金属製の加熱板２０は、熱供給管１０と熱排出管１０ａに接続管１２により接続され、加熱板２０の内部に形成された熱供給経路２０ａを有し、熱供給管１０から供給された熱で加熱されることから、熱供給管１０からは熱媒体が供給されること、及び、加熱板２０は熱媒体を収容する熱媒体室を有していることは明らかである。
　また、金属製の加熱板２０が加熱され、熱がケーキに伝達されるのであるから、加熱板は、金属製の伝熱部材を有しているということができる。
　　
　そうすると、本願発明１と引用発明とは、
「濾布とダイアフラムを備える第１の濾板と、濾布と金属製の伝熱部材と熱媒体室とを備える第２の濾板を、前記第１の濾板と前記第２の濾板の間に濾室を形成するように配置し、
　前記濾室にスラリを供給し、
　前記第１の濾板および前記第２の濾板の濾布により前記濾室内のスラリを濾過し、
　前記第１の濾板の前記ダイアフラムを前記濾室内のスラリに押し付けて圧搾することによって、脱水されたスラリからなるケーキを形成し、
　前記第２の濾板に熱媒体を供給して該熱媒体の熱を前記第２の濾板の前記伝熱部材を通じて前記ケーキに伝達し、
　濾室の圧力を変化させるスラリの脱水乾燥方法。」
　
である点で一致し、次の点で相違する。
（相違点１）
　本願発明１の第１の濾板は、熱媒体室を備えていて、前記第１の濾板に形成された前記熱媒体室に熱媒体を供給して前記第１の濾板の前記ダイアフラムを前記濾室内のスラリに押し付けて圧搾するのに対し、引用発明の濾板５０は、熱媒体室を備えておらず、圧搾はするものの、圧搾は空気による膨張によって行われていて、熱媒体の供給によるものでない点。
　
（相違点２）
　本願発明１は、所定の飽和蒸気温度よりも高い設定温度に前記ケーキを加熱した後に、瞬時に、前記ケーキを前記所定の飽和蒸気温度に対応する圧力に導いて、前記設定温度と前記所定の飽和蒸気温度との温度差により前記ケーキに含まれる水分を突沸させることによって前記ケーキをひび割れさせるのに対し、引用発明では、真空にして乾燥しているが、ケーキに含まれる水分を突沸させることによって前記ケーキをひび割れさせているかどうかは不明な点
　
（３）判断
　原査定の拒絶理由に引用された刊行物２（特開２００１−２３２１０９号公報）には、「汚泥の脱水乾燥装置及び方法」（発明の名称）について、次の記載がある。
「【特許請求の範囲】
【請求項１】　一又は複数対のプレートと該プレート対の間に配置された汚泥を収容する濾布とを有する
フィルタープレス型濾過機構
該濾布に当接し前記濾布の濾過水を排出する溝を備えたダイヤフラム型圧搾機構と、
前記ダイヤフラム部に加熱媒体を供給し、濾布内に収容した汚泥を加圧及び加温する機構
前記濾布外部を減圧する機構とを備えた
汚泥の脱水乾燥装置
【請求項２】　前記請求項１記載の汚泥の脱水乾燥装置において、前記濾布内の汚泥をダイヤフラムを介して加圧しつつ加温すると共に、前記濾布外を減圧することを特徴とする汚泥の脱水乾燥方法。
【請求項３】　前記加圧用ダイヤフラムは、ポリエチレン等の熱伝導性のよい物質を混合した耐熱及び伸縮性に富んだ素材を使用することを特徴とする請求項２記載の汚泥の脱水乾燥方法。
【請求項４】　前記加圧用ダイヤフラムに０．５ＭＰａ以上の圧力が加わるようにしたことを特徴とする請求項２記載の汚泥の脱水乾燥方法。
【請求項５】　
前記加温は、加熱媒体の温度を７０乃至９０℃程度の温度に保つ
「【００１７】次に、背圧弁９で圧搾圧力を設定した後、温水循環ポンプ８を稼働して濾枠１５とダイヤフラム１８で仕切られた部屋に、温水ボイラ２で８０℃に加温された温水を１５分間圧送し、ダイヤフラム１８を膨張させて汚泥の圧搾工程を行なう。」
「【００２３】本発明の工程では、次に図４（ｂ）に示すように、汚泥を濾室２２内で加圧・加温しつつ、濾室外を減圧雰囲気とし、これにより汚泥の脱水乾燥を促進することが特徴である。即ち、ダイヤフラム１８（１８ａ）の外側に温水ＨＷを加圧注入することで、濾室２２内に例えば０．８ＭＰａの圧力を加えると共に、
温水により濾室内の汚泥を７０〜９０℃に維持する
ダイヤフラムに設けられた溝１８ａ内の圧力を−０．０９ＭＰａ以下の減圧雰囲気に保つ
　
　これらの記載から、刊行物２には、フィルタープレス型濾過機構と、該濾布に当接し前記濾布の濾過水を排出する溝を備えたダイヤフラム型圧搾機構と、前記ダイヤフラム部に加熱媒体を供給し、濾布内に収容した汚泥を加圧及び加温する機構とを備えること及び、汚泥を濾室内で加圧・加温しつつ、濾室外を減圧雰囲気とし、汚泥の脱水乾燥を促進することについて記載されていると認められる。
　
　また、刊行物２では、温水により濾室内の汚泥を７０〜９０℃に維持し、濾布の外側のダイヤフラムに設けられた溝１８ａ内の圧力を−０．０９ＭＰａ以下の減圧雰囲気に保っている。
　ここで、１気圧は0.10132ＭＰａであるから、溝１８ａ内の圧力は、１気圧−０．０９ＭＰａ、すなわち、0.10132-0.09= 0.01132ＭＰａにしているということができ、この0.01132ＭＰａの飽和蒸気圧温度は約４８℃であるから、刊行物２には、所定の飽和蒸気温度よりも高い設定温度に前記ケーキを加熱した後に、前記ケーキを前記所定の飽和蒸気温度以下の圧力に導くことが記載されているということはできる。
　
　しかしながら、刊行物２に記載されたものでは、濾室外を減圧雰囲気とする際に、瞬時に、圧力を低下させているというものでないことから、ケーキに含まれる水分が突沸しているかどうかは明らかではなく、ケーキにひび割れさせているかどうかも明らかではない。
　また、当審の拒絶理由で引用された特開２００４−１０１１３０号公報に開示されるように、「真空乾燥装置において、ワークに付着した水の蒸発を促進するために、早く突沸を起こすために、ワークを高温の乾燥室内にセットしてワークを加熱し、真空室を用いて乾燥室内を急激に減圧して乾燥室内に突風を起こし、さらに減圧を進めて突沸を起こし、乾燥が終了しない場合は、乾燥室の圧力を大気圧まで上げた後に、真空室を用いて乾燥室内を急激に減圧することを繰り返す、ワークの乾燥装置及び乾燥方法」が記載されているとしても、乾燥対象物にひび割れを起こすことは記載されていないし、当業者にとって技術常識ないし周知技術であるとすることはできない。
　そうすると、本願発明１の相違点２に係る構成については、当業者が容易に想到し得たとすることはできない。
　
　そして、本願発明１は、【００２６】、【００２７】に記載されているように、ケーキにひび割れさせることにより、蒸発面積が増加し、スラリの脱水と乾燥をより効率的かつ短時間で行うことができ、粘着性を持つケーキを濾布から容易に分離させることができて、脱水乾燥装置の維持管理にかかる労力を大幅に低減させるという、刊行物１、２及び周知技術からは当業者が予測し得ない格別な効果を奏するものであるから、本願発明１は、本願発明１は、引用発明、刊行物２の記載及び周知技術に基いて当業者が容易に発明をすることができたものであるとすることはできない。
　
（４）本願発明２〜１４について
　本願発明２〜１４は、本願発明１を引用し、本願発明２の発明特定事項を全て含むものであるから、本願発明２と同様な理由から、引用発明に基いて、当業者が容易に発明をすることができたとはいえない。
　
（５）本願発明１５について
　本願発明１は、スラリの脱水乾燥装置において、「加熱機構により加熱されたケーキを所定の飽和蒸気温度に対応する圧力に瞬時に導いて該ケーキに含まれる水分を突沸させることによって前記ケーキをひび割れさせる減圧機構」を備えたものであり、相違点２に係る本願発明１の構成である「所定の飽和蒸気温度よりも高い設定温度に前記ケーキを加熱した後に、瞬時に、前記ケーキを前記所定の飽和蒸気温度に対応する圧力に導いて、前記設定温度と前記所定の飽和蒸気温度との温度差により前記ケーキに含まれる水分を突沸させることによって前記ケーキをひび割れさせる」ことを実施するために直接使用する装置を備えたものであるということができる。
　そうすると、本願発明１が引用発明、刊行物２の記載及び周知技術に基いて当業者が容易に発明をすることができたものとすることはできないのであるから、本願発明１４は、本願発明１と同様な理由から、引用発明、刊行物２の記載及び周知技術に基いて当業者が容易に発明をすることができたものとすることはできない。
　
（６）本願発明１６〜２５について
　本願発明１６〜２５は、本願発明１５を引用し、本願発明１５の発明特定事項を全て含むものであるから、本願発明１５と同様な理由から、引用発明、刊行物２の記載及び周知技術に基いて、当業者が容易に発明をすることができたとはいえない。
　
２．当審拒絶理由について
　刊行物３には、「脱水乾燥装置及び方法」（発明の名称）について記載され、刊行物４には、「真空乾燥装置」（発明の名称）について記載されている。
　しかしながら、刊行物３及び４の記載からは、所定の飽和蒸気温度よりも高い設定温度に前記ケーキを加熱した後に、瞬時に、前記ケーキを前記所定の飽和蒸気温度に対応する圧力に導いて、前記設定温度と前記所定の飽和蒸気温度との温度差により前記ケーキに含まれる水分を突沸させることによって前記ケーキをひび割れさせることを当業者が容易に想到し得たとすることはできない。
　
第５　むすび
　以上のとおり、原査定の理由及び当審拒絶理由によっては、本願を拒絶することはできない。
　また、他に本願を拒絶すべき理由を発見しない。
　よって、結論のとおり審決する。